(57)【要約】【課題】  エラーデータの修復を効率的に行い、かつユーザーの利便性を損なわない受信装置、及びデジタル放送システムを提供する。【解決手段】  内蔵する記録媒体にデータを格納する際に該データに含まれる訂正不能なエラーパケットを検知して、これに相当する部位の正しいパケットをデータの供給源であるサーバーに要求し、サーバーから供給された正しいパケットをエラーパケットと置換して格納する受信装置と、かかるサーバーとを組み合わせてデジタル放送システムを構築する。サーバーは各放送局毎に設けても良いし、或いは、サーバーが複数の放送局から放送される番組ソフトウェアを蓄積する記録媒体にアクセスして正しいパケット情報を取得する構成としても良い。【選択図】  図１
2005294923.tif 000002
【特許請求の範囲】
【請求項１】
供給源から供給されるデータストリームを受信及び復調して記録媒体に格納する受信装置であって、
前記記録媒体にデータを格納する際に、前記データストリームに含まれる訂正不能なエラーパケットを検出する第１検出手段と、
前記供給源に対して前記エラーパケットに該当する部位のデータパケットの再送を要求して、当該データパケットを取得する取得手段と、
取得された前記データパケットを前記エラーパケットと置換して前記記録媒体に格納する置換手段と、を含むことを特徴とする受信装置。
【請求項２】
前記第１検出手段は、前記データストリームのＭＰＥＧトランスポートストリーム中に含まれる訂正不能なエラーパケットを検出することを特徴とする請求項１に記載の受信装置。
【請求項３】
前記第１検出手段は、前記データストリームのパーシャルトランスポートストリーム中に含まれる訂正不能なエラーパケットを検知することを特徴とする請求項１に記載の受信装置。
【請求項４】
前記供給源は、データサーバーであり、
前記取得手段は、通信ネットワークを介して前記データサーバーから前記エラーパケットに該当する部位のデータパケットを取得することを特徴とする請求項１ないし３のいずれか１項に記載の受信装置。
【請求項５】
前記取得手段は、前記供給源から供給されるデータストリームを予め記録した外部記録媒体から前記エラーパケットに該当する部位のデータパケットを取得することを特徴とする請求項１ないし３のいずれか１項に記載の受信装置。
【請求項６】
供給源から供給されるデータストリームを受信及び復調して記録媒体に格納する受信装置において前記記録媒体からデータを再生する再生装置であって、
前記記録媒体に格納されているデータストリームに含まれる訂正不能なエラーパケットを検出する第２検出手段と、
前記供給源に対して前記エラーパケットに該当する部位のデータパケットの再送を要求して、再送されたデータパケットを取得する取得手段と、
取得された前記データパケットを前記エラーパケットと置換して前記記録媒体に格納する置換手段と、を含むことを特徴とする再生装置。
【請求項７】
前記第２検出手段は、前記データストリームのパーシャルトランスポートストリーム中に含まれる訂正不能なエラーパケットを検出することを特徴とする請求項６に記載の再生装置。
【請求項８】
前記データストリームの供給源は、データサーバーであり、
前記取得手段は、通信ネットワークを介して前記データサーバーから前記エラーパケットに該当する部位のデータパケットを取得することを特徴とする請求項６又は７に記載の再生装置。
【請求項９】
前記取得手段は、前記供給源から供給されるデータストリームを予め記録した外部記録媒体から前記エラーパケットに該当する部位のデータパケットを取得することを特徴とする請求項６又は７に記載の再生装置。
【請求項１０】
供給源から供給されるデータストリームを受信及び復調して記録媒体に格納する受信装置におけるエラーデータ訂正方法であって、
前記記録媒体にデータを格納する際に、前記データストリームに含まれる訂正不能なエラーパケットを検出する第１検出行程と、
前記供給源に対して前記エラーパケットに該当する部位のデータパケットの再送を要求して、当該データパケットを取得する取得行程と、
取得された前記データパケットを前記エラーパケットと置換して前記記録媒体に格納する置換行程と、を含むことを特徴とするエラーデータ訂正方法。
【請求項１１】
供給源から供給されるデータストリームを受信及び復調して記録媒体に格納する受信装置において前記記録媒体からデータを再生する再生装置におけるエラーデータ訂正方法であって、
前記記録媒体に格納されているデータストリームに含まれる訂正不能なエラーパケットを検出する第２検出行程と、
前記供給源に対して前記エラーパケットに該当する部位のデータパケットの再送を要求して、再送されたデータパケットを取得する取得行程と、
取得された前記データパケットを前記エラーパケットと置換して前記記録媒体に格納する置換行程と、を含むことを特徴とするエラーデータ訂正方法。
【請求項１２】
請求項１０又は１１に記載のエラーデータ訂正方法をコンピュータに実行させることを特徴とするコンピュータに読取り可能なプログラム。
【請求項１３】
請求項１２に記載のプログラム記録していることを特徴とする記録媒体。
【請求項１４】
通信ネットワークを介してエラーパケットを訂正するためのデータを、データサーバーから請求項１ないし３のいずれか１項に記載の受信装置に供給するエラーデータ訂正システムであって、
前記受信装置は、前記通信ネットワークを介して前記エラーパケットに関するエラー情報を前記データサーバーに送信し、
前記データサーバーは、
前記通信ネットワークを介して前記エラー情報を受信する受信手段と、
受信した前記エラー情報に基づいてデータ蓄積記録媒体に記録されているデータストリームから前記エラーパケットに該当する部位のデータパケットを抽出する抽出手段と、
抽出された前記データパケットを前記受信装置に送信する送信手段と、を有することを特徴とするエラーデータ訂正システム。
【請求項１５】
通信ネットワークを介してエラーパケットを訂正するためのデータを、データサーバーから請求項６又は７に記載の再生装置に供給するエラーデータ訂正システムであって、
前記再生装置は、前記通信ネットワークを介して前記エラーパケットに関するエラー情報を前記データサーバーに送信し、
前記データサーバーは、
前記通信ネットワークを介して前記エラー情報を受信する受信手段と、
受信した前記エラー情報に基づいてデータ蓄積記録媒体に記録されているデータストリームから前記エラーパケットに該当する部位のデータパケットを抽出する抽出手段と、
抽出された前記データパケットを前記再生装置に送信する送信手段と、を有することを特徴とするエラーデータ訂正システム。
【請求項１６】
前記データサーバーは、前記データストリームを放送する放送局毎に設けられていることを特徴とする請求項１４又は１５に記載のエラーデータ訂正システム。
【請求項１７】
前記データサーバーは、前記データストリームを放送する複数の放送局の各々に設けられたデータ蓄積記録媒体にアクセスして、前記データパケットを抽出することを特徴とする請求項１４又は１５に記載のエラーデータ訂正システム。
【発明の詳細な説明】
【技術分野】
【０００１】
本発明は、受信装置、再生装置、エラー訂正方法、そのプログラム、及びその記録媒体、並びにエラー訂正システムに関する。
【背景技術】
【０００２】
近年、映像信号や音声信号をＭＰＥＧ方式等の圧縮符号化方式によりエンコードしてデータストリームを生成し、かかるデータストリームをＢＳ、ＣＳ、地上デジタル等のデジタル放送によって視聴者に送信するデジタル放送システムが普及しつつある。このようなデジタル放送を受信する受信装置は、一般に、受信データについてのエラー訂正処理機能を有しており、受信データに生ずるエラーをある程度まで訂正することが可能である。そして、エラー訂正処理が施された受信データは、受信装置内に設けられたＨＤＤなどの記録媒体に格納され、ユーザーが望むときに随時再生することができる。
【０００３】
しかしながら、例えば、悪天候、ノイズ混入、マルチパス、フェージング等による放送電波の伝搬障害の発生によって、受信中のデータストリームに受信装置のエラー訂正処理機能では訂正不能なエラーが生ずる場合がある。従来、このような訂正不能なエラーが発生した場合、例えば、特許文献１、２に開示されるような技術を用いてかかるエラーデータの修復が行われていた。因みに、これらの従来技術では受信装置のエラー訂正処理機能で訂正不能なエラーが検知された場合、受信装置は、アナログ、或いはデジタルによる公衆回線等の通信ネットワークを介して送信元の放送局等のサーバーにアクセスを行う。そして、かかるサーバーからエラーの生じていない正しいデータの再送を受けて、これを訂正不能なエラーデータと差し替えるものである。
【０００４】
しかし、文献１に開示されている従来技術では、サーバー側は、受信データ中の１つのパケットにエラーが生じた場合でも、同パケットを含む全てのデータを受信装置側に再送するため、視聴可能な部分のデータについても再送処理が為されてしまうという問題があった。一方、文献２に示される従来技術は、エラー部分のバケットのみを再送する方式となっているが、受信データを記録媒体から再生するＭＰＥＧデコーダにおいてエラー検出、並びにエラーデータと訂正データとの置換を行うため、データをデコードするまでエラー訂正ができないという問題があった。
【特許文献１】特開平１１−２９８４５１号公報
【特許文献２】特開２００３−２５０１２８号公報
【発明の開示】
【発明が解決しようとする課題】
【０００５】
本発明が解決しようとする課題には、エラーデータの修復を効率的に行い、かつユーザーの利便性を損なわない受信装置等を提供することが一例として挙げられる。
【課題を解決するための手段】
【０００６】
請求項１に記載の発明は、供給源から供給されるデータストリームを受信及び復調して記録媒体に格納する受信装置であって、前記記録媒体にデータを格納する際に、前記データストリームに含まれる訂正不能なエラーパケットを検出する第１検出手段と、前記供給源に対して前記エラーパケットに該当する部位のデータパケットの再送を要求して、当該データパケットを取得する取得手段と、取得された前記データパケットを前記エラーパケットと置換して前記記録媒体に格納する置換手段と、を含むことを特徴とする。
【０００７】
また、請求項６に記載の発明は、供給源から供給されるデータストリームを受信及び復調して記録媒体に格納する受信装置において前記記録媒体からデータを再生する再生装置であって、前記記録媒体に格納されているデータストリームに含まれる訂正不能なエラーパケットを検出する第２検出手段と、前記供給源に対して前記エラーパケットに該当する部位のデータパケットの再送を要求して、再送されたデータパケットを取得する取得手段と、取得された前記データパケットを前記エラーパケットと置換して前記記録媒体に格納する置換手段と、を含むことを特徴とする。
【０００８】
また、請求項１０に記載の発明は、供給源から供給されるデータストリームを受信及び復調して記録媒体に格納する受信装置におけるエラーデータ訂正方法であって、前記記録媒体にデータを格納する際に、前記データストリームに含まれる訂正不能なエラーパケットを検出する第１検出行程と、前記供給源に対して前記エラーパケットに該当する部位のデータパケットの再送を要求して、当該データパケットを取得する取得行程と、取得された前記データパケットを前記エラーパケットと置換して前記記録媒体に格納する置換行程と、を含むことを特徴とする。
【０００９】
さらに、請求項１１に記載の発明は、供給源から供給されるデータストリームを受信及び復調して記録媒体に格納する受信装置において前記記録媒体からデータを再生する再生装置におけるエラーデータ訂正方法であって、前記記録媒体に格納されているデータストリームに含まれる訂正不能なエラーパケットを検出する第２検出行程と、前記供給源に対して前記エラーパケットに該当する部位のデータパケットの再送を要求して、再送されたデータパケットを取得する取得行程と、取得された前記データパケットを前記エラーパケットと置換して前記記録媒体に格納する置換行程と、を含むことを特徴とする。
【発明を実施するための最良の形態】
【００１０】
【実施例１】
【００１１】
図１に本発明の第１の実施例である受信装置、エラー訂正方法、そのプログラム、及びその記録媒体、並びに同受信装置を含むエラー訂正システムを示す。受信装置１０は、例えば、ＢＳ、ＣＳ、地上デジタル等のデジタル放送により送信されるデータストリームを受信及び復調してこれを記録するものである。
【００１２】
また、受信装置１０は、通信ネットワーク２０を介して放送局３０が管理するサーバー３０１にアクセスすることが可能である。なお、通信ネットワーク２０は、例えば、通常の公衆回線のようなアナログ通信回線網でも良いし、或いは、ＩＳＤＮのようなデジタル通信回線網でも良い。
【００１３】
次に、受信装置１０の内部構成について説明を行う。アンテナ１０１は、例えば、パラボラアンテナやオフセットアンテナなどのデジタル放送受信用のアンテナであり、デジタル放送電波を受信してこれをフロントエンド部１０２に供給する。
【００１４】
フロントエンド部１０２は、放送電波を周波数変換・復調して、当該電波に重畳されているデータストリームを抽出する部分である。即ち、デジタル放送電波に重畳されたデータストリームは、フロントエンド部１０２によってＭＰＥＧ方式により圧縮符号化されたデジタルデータの時系列であるＭＰＥＧトランスポートストリーム（以下、単に“ＭＰＥＧ−ＴＳ”と称する）に復元されて後段のデマルチプレクサ１０３に供給される。
【００１５】
デマルチプレクサ１０３は、フロントエンド部１０２から供給されたＭＰＥＧ−ＴＳに多重されている複数の番組情報を分離して、これらのデータストリームを１つの番組情報毎に再多重したパーシャルトランスポートストリーム（以下、単に“パーシャルＴＳ”と称する）を生成する部分である。
【００１６】
記録媒体１０４は、例えば、ＨＤＤやその他の書換可能なディスク等のデータ記録媒体、及びこれらデータ記録媒体の駆動制御回路から構成されており、デマルチプレクサ１０３から供給されるパーシャルＴＳを当該記録媒体内の所定の記憶領域内に記録・格納する部分である。
【００１７】
データデコーダ１０５は、記録媒体１０４に格納されているデータについて、その符号化圧縮を解いてデコードする圧縮復号化部分である。データデコーダ１０５によってデコードされた映像並びに音声データは、映像信号出力部１０６、及び音声出力部１０７を経てユーザーに視聴可能な映像・音声信号に再生されて出力される。なお、当該構成要素は、記録媒体１０４に格納されているデータを再生するための構成要素であるので、記録専用の受信装置１０の場合には不要である。
【００１８】
制御部１０８は、図示せぬマイクロプロセッサ、ＲＯＭ・ＲＡＭ等のメモリ回路、及びこれらの周辺回路から構成されており、受信装置１０の全体を統括・制御する部分である。制御部１０８のメモリ回路には、受信装置１０の動作を規定するメインプログラムや各種のサブプログラムが記憶されており、上記のマイクロプロセッサがその内蔵するクロックに同期してこれらのプログラムを１ステツプずつ実行することによって受信装置１０における各種の処理が実行される。
【００１９】
モデム部１０９は、通信ネットワーク２０を介して、エラーデータ情報やこれを修復する訂正データ情報等の各種情報を受信装置１０とサーバー３０１との間で中継する部分である。なお、モデム部１０９の構成及び機能は、通信ネットワーク２０の形態に応じて、単なるデータの変復調機能のみならず、種々の網制御機能や通信手順制御機能を含むことは言うまでもない。
【００２０】
次に、受信装置１０の動作を図２のフローチャートを参照しつつ説明する。なお、同フローチャートに示される処理プログラムは、受信装置１０において常時起動が為される構成としても良いし、或いは、受信装置１０がデジタル放送電波によって所定数のデータパケットを受信する毎に起動される構成としても良い。
【００２１】
先ず、アンテナ１０１で受信されたデジタル放送電波は、フロントエンド部１０２において周波数変換・復調が為され当該電波に重畳されていたＭＰＥＧ−ＴＳが復調される。この際に、フロントエンド部１０２は、復調されたＭＰＥＧ−ＴＳについてのエラー訂正処理を実行してその結果をエラー情報として制御部１０８に通知する。
【００２２】
制御部１０８は、このエラー情報に基づきフローチャート（図２）のステップＳ２０１において、フロントエンド部１０２のエラー訂正処理結果について判定を行う。かかる判定は、例えば、ＭＰＥＧ−ＴＳのヘッダー部に含まれるトランスポート誤りインジケータ(Transport Error Indicator)のビット状態を用いて判定するようにしても良いし、或いは、ＭＰＥＧ−ＴＳのヘッダー部に含まれる他の状態記述子を組み合わせて判定を行うようにしても良い。その他、フロントエンド部１０２におけるビタビ出力後のビットエラー率（ＢＥＲ）、同期情報等を用いても良い。
【００２３】
また、ステップＳ２０１において、制御部１０８は、フロントエンド部１０２で復調されたＭＰＥＧ−ＴＳが供給されるデマルチプレクサ１０３から通知されるエラー情報に基づいて、エラー訂正処理結果についての判定を行うこともできる。デマルチプレクサ１０３は、供給されたＭＰＥＧ−ＴＳを基にして１つの番組単位でデータを再多重したデータストリームであるパーシャルＴＳを生成する。この際、デマルチプレクサ１０３は、パーシャルＴＳについてのエラー訂正処理を実行して、その結果を制御部１０８にエラー情報として通知する。
【００２４】
制御部１０８は、このエラー情報に基づきデマルチプレクサ１０３のエラー訂正処理結果について判定を行う。この判定は、例えば、パーシャルＴＳのデータストリームがエラーの発生によって不連続となる変化点で挿入される不連続情報テーブル(Discontinuity Information Table)（以下単に“ＤＩＴ”と称する）情報を利用しても良いし、或いは、パーシャルＴＳに含まれるその他の状態記述子を組み合わせて判定を行うようにしても良い。
【００２５】
また、制御部１０８は、フロントエンド部１０２から通知されるエラー情報と、デマルチプレクサ１０３から通知されるエラー情報の双方を用いて、エラー処理結果についての判定を行っても良い。
【００２６】
ステップＳ２０１において、パーシャルＴＳにエラーが無いと判定された場合、制御部１０８は、図２のフローチャートのスタート位置に戻り以上に説明した処理動作を繰り返す。一方、ステップＳ２０１において、ＭＰＥＧ−ＴＳ又はパーシャルＴＳにエラーが有ると判定された場合、制御部１０８はステップＳ２０３に移行する。すなわち、ＭＰＥＧ−ＴＳ、またはパーシャルＴＳの何れかにおいて、エラー訂正処理では訂正不能なエラーが検出された場合、制御部１０８はステップＳ２０３のエラーパケット情報収集処理を実行する。
【００２７】
エラーパケット情報収集処理の概要は以下の通りである。先ず、ＭＰＥＧ−ＴＳにおいてエラーが検出されていた場合、制御部１０８は、ＭＰＥＧ−ＴＳのヘッダー情報や、フロントエンド部１０２から出力されるＰＩＤ、ＰＡＤ、及びＮＩＴ等の各記述子を読み込んで、データストリーム中におけるエラーパケットの部位を特定する。その他、フロントエンド部１０２の情報（受信チャンネルやパイロット信号等に関する情報）からエラーパケット情報を収集しても良い。また、パーシャルＴＳにおいてエラーが検出されていた場合、制御部１０８は、ネットワーク識別記述子、及びパーシャルＴＳタイム記述子等の各種のパーシャルＴＳ記述子を読み込んでエラーパケット部位の特定を行う。なお、ＭＰＥＧ−ＴＳ及びパーシャルＴＳの双方において訂正不能なエラーが検出されていた場合は、どちらか一方の記述子のみを用いるようにしても良いし、或いは双方の記述子を合わせて用いるようにしても良い。かかる処理によって、エラーの発生したパケットについて、その放送局の存する国や地方、ＢＳやＣＳ或いはケーブルＴＶ等のメディアの形態、当該エラーデータの含まれる番組名、及びエラーの生じた放送時間などのエラー情報が特定されることになる。
【００２８】
以上の処理が終了すると、制御部１０８は、ステップＳ２０５に移りエラー情報送信処理を実行する。即ち、制御部１０８は、ステップＳ２０３で特定されたエラー情報に基づいてモデム部１０９を制御して、該当するエラーパケットが含まれる番組を送信した放送局の管理するサーバー３０１に通信ネットワーク２０を介してアクセスを行う。
【００２９】
モデム部１０９とサーバー３０１との間に通信リンクが確立されると、制御部１０８は、上記のエラー情報をサーバー側に送信してステップＳ２０５の処理を終了させる。なお、この際に送信するエラー情報としては、例えば、番組名と共にエラーパケットの部位を特定可能なパケット番号等を直接送信しても良いし、或いは、エラーパケットの部位が供給源から送信された時刻を示す時刻情報を送信するようにしても良い。さらに、エラー情報を送信する際に、エラーパケット前後の正しいパケットデータを送信するようにしても良い。
【００３０】
制御部１０８は、エラー情報送信処理を終了するとステップＳ２０７に移り、エラーパケットの部位に該当する正しいデータを含むパケットがサーバー３０１から返信されて来たか否かを監視する。ステップＳ２０７において、正しいデータを含むパケットの返信が確認されない場合、制御部１０８は、図２のフローチャートのスタート位置に復帰して以上の処理を繰り返す。一方、同ステップにおいてサーバー３０１からパケットの返信が確認された場合はステップＳ２０９に移行する。
【００３１】
ステップＳ２０９において、制御部１０８は、記録媒体１０４に格納されているエラーデータを含むパケットの記憶領域を予め検索しておき、当該パケットとサーバー３０１から受領した新たなパケットとを置換する。ステップＳ２０９の処理が終了すると、制御部１０８は、図２のフローチャートに示されるプログラムのスタート位置に復帰して再び以上に説明した処理動作を繰り返す。
【００３２】
次に、以上に説明を行った受信装置１０側の処理に対応する、サーバー３０１側における処理動作を、図３のフローチャートを用いて説明する。なお、同フローチャートに示される処理プログラムは、サーバー３０１を管理するコンピュータ（以下単に“コンピュータ”と称する）において所定のタイミングで実行されるものとする。
【００３３】
図３のプログラムが起動されると、コンピュータはステップＳ３０１において、通信ネットワーク２０を介して受信装置１０からエラー情報を受信しているか否かを判定する。ステップＳ３０１において、エラー情報が受信されていないと判定された場合、コンピュータは、図３に示されるフローチャートのスタート位置に復帰する。一方、同ステップにおいて、受信装置からエラー情報が受信されていると判定された場合はステップＳ３０３に移行する。なお、かかるエラー情報の受信判定処理において、エラー情報を発信したユーザー受信装置のアドレス等が特定されることは言うまでもない。
【００３４】
ステップＳ３０３においてコンピュータは、受信したエラー情報を基に、サーバー３０１がアクセス可能なデータベース（図示せず）から、訂正不能なエラーが生じたパケットに該当するパケットを検索する。
【００３５】
コンピュータは、かかる該当パケットの抽出処理を終了すると次のステップＳ３０５に移り、上記のステップで抽出したパケットを通信ネットワーク２０を介して受信装置１０に送信して図３のフローチャートに示された処理を終了させる。
【００３６】
また、以上の説明ではエラーパケットに相当する正しいデータを含むパケットを、通信ネットワーク２０を介してサーバー３０１から取得したが、図４に示す如く、受信装置１０の外部に設けられた外部記憶媒体４０からこれを取得するようにしても良い。この場合、外部記録媒体４０は、例えば、ＨＤＤやその他の記録ディスクの再生駆動装置であり、かかる記録媒体に予め放送される番組のソフトウェアが記録されているものとする。なお、同図において、外部記録媒体４０以外の他の構成要素については、図１及び図２に示される実施例と同じであるためその説明を省略する。
【００３７】
以上に説明したように、本実施例ではエラー情報として、例えばＭＰＥＧ２デコーダなどのデコーダにおけるデコードエラー情報ではなく、データが記録媒体に記録される際のエラー情報を利用している。それ故、エラー検出時にデコーダを駆動する必要がなく受信装置における消費電力の低減を図ることができる。また、データ記録時にエラー検出並びにエラーパケットの置換を行うため、デコード時のエラー訂正に比較して再生データのリアルタイム性を向上させることが可能となる。さらに、エラー訂正において、デコーダを占有することがないためデコーダを他の用途に転用使用することもできる。
【００３８】
なお、以上の記載では、受信装置１０の構成及びその動作について説明を行ったが、本発明には、上記の説明に基づくエラー訂正方法をプログラムによってコンピュータに実行させること、及びそのプログラムを記録した記録媒体も含まれるものとする。
【実施例２】
【００３９】
第１の実施例ではデータストリームを記録する際にエラー訂正する方法を説明したが、次にデジタル放送によりデータストリームを受信及び復調してデータを格納する受信装置においてデータが格納された記録媒体を再生する再生装置５０におけるエラー訂正について説明する。
【００４０】
図５に本発明の第２の実施例である再生装置、当該再生装置におけるエラー訂正方法、そのプログラム、及びその記録媒体、並びに当該再生装置を含むエラー訂正システムを示す。なお、同図における再生装置５０の各構成要素（記録媒体１０４、データデコーダ１０５、映像信号出力部１０６、音声信号出力部１０７、制御部１０８、モデム部１０９）、通信ネットワーク２０、及び放送局３０は、図１に示される構成要素と同じ機能であるため説明を省略する。
【００４１】
再生装置５０の動作は上記で説明した受信装置１０の動作（図２のフローチャート）と同様である。ステップＳ２０１において、制御部１０８は、記録媒体に格納されたデータを出力して、当該出力データのパーシャルＴＳに含まれるエラー情報に基づいてエラー判定を行うようにする。この判定は上記のパーシャルＴＳを用いた方法と同様であるので、その説明を省略する。また、他のステップについても受信装置１０の場合と同様のため説明を省略する。
【００４２】
この再生装置５０のエラー訂正処理は、記録媒体１０４に格納されているデータをデータデコーダ１０５に出力する際に行うことができるが、データデコーダ１０５に出力しないときにも、再生装置５０に記録媒体１０４が装着されている場合に記録媒体に格納されているデータを読み出して、エラーを自動検索及び自動訂正することもできる。
【００４３】
このように本実施例によれば、再生処理（デコード処理）を行う前に記録媒体に格納されたデータのエラー訂正を行うことができ、エラー訂正が為されたデータを再生することができる。また、受信装置と再生装置を別々に構成するため、例えば、通信環境が不安定な移動体に設置された受信装置においてデータを記録媒体に格納した場合は、通信環境が安定している屋内に設置された再生装置に当該記録媒体を装着してエラー訂正を行うことができる。
【００４４】
なお、エラー訂正時におけるエラー訂正用のデータは、通信ネットワーク２０を介してサーバー３０１から取得するようにしても良いし、或いは、外部記録媒体４０から取得するようにしても良い。
【００４５】
なお、以上の記載では、再生装置５０の構成及びその動作について説明を行ったが、本発明には、上記の説明に基づくエラー訂正方法をプログラムによってコンピュータに実行させること、及びそのプログラムを記録した記録媒体も含まれるものとする。
【実施例３】
【００４６】
第１及び第２の実施例では、受信装置１０又は再生装置５０に訂正データを供給するサーバーが１つの放送局に含まれる場合のエラー訂正システムを説明したが、例えば、図６に示す如く、サーバー６０１が複数の放送局の番組を蓄積したデータ蓄積記録媒体６０２にアクセスして、複数の放送局から送信される番組についてのエラー訂正システムを構成するようにしても良い。
【００４７】
また、図７に示す如く、各放送局とは別企業のサービス事業者が、例えば、インターネット等の情報ネットワーク７０を介して各放送局から番組ソフトウェアの提供を受け、これを用いて受信装置ユーザーに対するエラー訂正システムを管理・運営するようにしても良い。
【００４８】
なお、受信装置のユーザーに対するエラーデータの訂正サービスについての課金は、例えば、かかるサービスに加盟したユーザー会員のみを対象として定額制で行うようにしても良いし、或いは、ユーザーに送信した訂正パケットのデータ量に基づいた従量制で行うようにしても良い。
【００４９】
また、当該サービス事業者は、番組ソフトウェアを提供する各放送局を会員として、これらに固定金額の対価を支払うようにしても良いし、或いは、各放送局から番組ソフトウェアを買い取って上記サービスを実施するようにしても良い。
【００５０】
以上に説明した如く、本実施例によれば、受信装置のユーザーは、記録したデータストリーム中にエラーがあった場合でも、これをエラー無しのデータストリームに変更することができる。これによって、例えば、課金された番組ソフトウェアを購入したユーザーと放送局との間における損害賠償問題の発生を防止することが可能となり、また、二度と放送されない番組で記録エラーが発生した場合でも、ユーザーはエラー無しのデータを記録することが可能となる。
【００５１】
なお、著作権管理団体が各放送局からの番組ソフトウェアの買い上げ、並びにサービス事業者への販売を行えば、番組ソフトウェアについて発生する著作権問題を適正に管理することが可能となる。
【図面の簡単な説明】
【００５２】
【図１】図１は、本発明による受信装置及びエラー訂正システムの第１の実施例を示すブロック図である。
【図２】図２は、図１の受信装置における動作プログラムの概要を示すフローチャートである。
【図３】図３は、図１のサーバーにおける動作プログラムの概要を示すフローチャートである。
【図４】図４は、図１に示される受信装置の他の構成例を示すブロック図である。
【図５】図５は、本発明による第２の実施例（再生装置）を示すブロック図である。
【図６】図６は、本発明による第３の実施例（エラー訂正システム）を示すブロック図である。
【図７】図７は、図６に示されるエラー訂正システムの他の構成例を示すブロック図である。
【符号の説明】
【００５３】
１０    受信装置
２０    通信ネットワーク
３０    放送局
４０    外部記録媒体
５０    再生装置
７０    インターネット
１０１  アンテナ
１０２  フロントエンド部
１０３  デマルチプレクサ
１０４  記録媒体
１０５  データデコーダ
１０６  映像信号出力部
１０７  音声信号出力部
１０８  制御部
１０９  モデム部
３０１，６０１，７０１  サーバー
６０２  データ蓄積記録媒体
【図１】
2005294923.tif 000003
【図２】
2005294923.tif 000004
【図３】
2005294923.tif 000005
【図４】
2005294923.tif 000006
【図５】
2005294923.tif 000007
【図６】
2005294923.tif 000008
【図７】
2005294923.tif 000009